(57)【要約】      （修正有）【課題】強度に優れた組立式トイレを提供する。【解決手段】組立式トイレ１は、外箱部材１０及び内箱部材２０，３０を備えている。これらの外箱部材１０及び内箱部材２０，３０は、段ボール又は厚紙からなる。外箱部材１０は、底面部１１及び側面部１２，１４，１６，１８を有する。内箱部材２０は、側面部及び上面部を有する。内箱部材３０は、側面部及び上面部を有する。内箱部材２０，３０の高さは、外箱部材１０の高さに略等しい。内箱部材２０は、側面部が側面部１２に対向するように、外箱部材１０内に配置されている。内箱部材３０は、側面部が側面部１４に対向するように、外箱部材１０内に配置されている。内箱部材２０，３０は、外箱部材１０内において互いに離間しており、それらの間の空間Ｓ１に排泄物が溜まる。【選択図】図１
2015202223.tif 000002
【特許請求の範囲】
【請求項１】
段ボール又は厚紙からなり、底面部、並びに第１の側面部、当該第１の側面部に対向する第２の側面部、第３の側面部、及び当該第３の側面部に対向する第４の側面部を有する外箱部材と、
段ボール又は厚紙からなり、第１の側面部、当該第１の側面部に対向する第２の側面部、第３の側面部、及び当該第３の側面部に対向する第４の側面部、並びに上面部を有する第１及び第２の内箱部材と、を備え、
前記外箱部材の高さと、前記第１及び第２の内箱部材の高さとは、互いに略等しく、
前記第１の内箱部材は、前記第１の側面部が前記外箱部材の前記第１の側面部に対向するように、前記外箱部材内に配置され、
前記第２の内箱部材は、前記第１の側面部が前記外箱部材の前記第２の側面部に対向するように、前記外箱部材内に配置され、
前記第１及び第２の内箱部材は、前記外箱部材内において互いに離間しており、
前記第１の内箱部材と前記第２の内箱部材との間の空間に排泄物が溜まるように構成されていることを特徴とする組立式トイレ。
【請求項２】
請求項１に記載の組立式トイレにおいて、
前記第１及び第２の内箱部材の前記上面部は、便座として機能する組立式トイレ。
【請求項３】
請求項１又は２に記載の組立式トイレにおいて、
前記第１の内箱部材について、前記第１及び第２の側面部の水平方向の長さは、前記第３及び第４の側面部の水平方向の長さよりも大きく、
前記第２の内箱部材について、前記第１及び第２の側面部の水平方向の長さは、前記第３及び第４の側面部の水平方向の長さよりも大きい組立式トイレ。
【請求項４】
請求項１乃至３の何れかに記載の組立式トイレにおいて、
前記第１及び第２の内箱部材の各々は、底面部を有する組立式トイレ。
【請求項５】
請求項１乃至４の何れかに記載の組立式トイレにおいて、
前記第１及び第２の内箱部材は、それぞれ、前記外箱部材の前記第１及び第２の側面部に接した状態で、前記外箱部材内に配置される組立式トイレ。
【請求項６】
請求項１乃至５の何れかに記載の組立式トイレにおいて、
前記第１及び第２の内箱部材は、形状及び大きさが略等しい組立式トイレ。
【請求項７】
請求項１乃至６の何れかに記載の組立式トイレにおいて、
前記外箱部材、並びに前記第１及び第２の内箱部材は、何れも、１枚の平坦な段ボール又は厚紙からなる組立式トイレ。
【請求項８】
請求項１乃至７の何れかに記載の組立式トイレにおいて、
前記外箱部材は、波状の中芯を有する段ボールからなり、
前記外箱部材の前記各側面部における前記中芯の流れ目方向は、当該各側面部の高さ方向に平行である組立式トイレ。
【請求項９】
請求項１乃至８の何れかに記載の組立式トイレにおいて、
前記第１及び第２の内箱部材は、波状の中芯を有する段ボールからなり、
前記第１及び第２の内箱部材の前記各側面部における前記中芯の流れ目方向は、当該各側面部の高さ方向に平行である組立式トイレ。
【請求項１０】
請求項１乃至９の何れかに記載の組立式トイレにおいて、
前記第１及び第２の内箱部材の各々は、前記第１の側面部に重なるように設けられた第１の補強部と、前記第２の側面部に重なるように設けられた第２の補強部とを有する組立式トイレ。
【請求項１１】
請求項１０に記載の組立式トイレにおいて、
前記第１及び第２の内箱部材の各々について、前記第１の側面部の略全体が前記第１の補強部によって覆われるとともに、前記第２の側面部の略全体が前記第２の補強部によって覆われる組立式トイレ。
【請求項１２】
請求項１乃至１１の何れかに記載の組立式トイレにおいて、
段ボール又は厚紙からなり、第１の側面部、当該第１の側面部に対向する第２の側面部、第３の側面部、及び当該第３の側面部に対向する第４の側面部、並びに上面部を有する第３及び第４の内箱部材を備え、
前記外箱部材の高さと、前記第３及び第４の内箱部材の高さとは、互いに略等しく、
前記第３の内箱部材は、前記第１の側面部が前記外箱部材の前記第３の側面部に対向するように、前記外箱部材内に配置され、
前記第４の内箱部材は、前記第１の側面部が前記外箱部材の前記第４の側面部に対向するように、前記外箱部材内に配置され、
前記第３及び第４の内箱部材は、前記外箱部材内において互いに離間しており、
前記第１乃至第４の内箱部材で囲まれた空間に排泄物が溜まるように構成されている組立式トイレ。
【請求項１３】
請求項１２に記載の組立式トイレにおいて、
前記第３及び第４の内箱部材の前記上面部は、便座として機能する組立式トイレ。
【請求項１４】
請求項１２又は１３に記載の組立式トイレにおいて、
前記第３の内箱部材について、前記第１及び第２の側面部の水平方向の長さは、前記第３及び第４の側面部の水平方向の長さよりも大きく、
前記第４の内箱部材について、前記第１及び第２の側面部の水平方向の長さは、前記第３及び第４の側面部の水平方向の長さよりも大きい組立式トイレ。
【請求項１５】
請求項１２乃至１４の何れかに記載の組立式トイレにおいて、
前記第３及び第４の内箱部材の各々は、底面部を有する組立式トイレ。
【請求項１６】
請求項１２乃至１５の何れかに記載の組立式トイレにおいて、
前記第３及び第４の内箱部材は、それぞれ、前記外箱部材の前記第３及び第４の側面部に接した状態で、前記外箱部材内に配置される組立式トイレ。
【請求項１７】
請求項１２乃至１６の何れかに記載の組立式トイレにおいて、
前記第３及び第４の内箱部材は、形状及び大きさが略等しい組立式トイレ。
【請求項１８】
請求項１２乃至１７の何れかに記載の組立式トイレにおいて、
前記第３及び第４の内箱部材は、何れも、１枚の平坦な段ボール又は厚紙からなる組立式トイレ。
【請求項１９】
請求項１２乃至１８の何れかに記載の組立式トイレにおいて、
前記第１乃至第４の内箱部材は、形状及び大きさが略等しい組立式トイレ。
【請求項２０】
請求項１２乃至１９の何れかに記載の組立式トイレにおいて、
前記第１の内箱部材は、前記第３の側面部が前記外箱部材の前記第３の側面部に接するとともに、前記第４の側面部が前記第４の内箱部材の前記第２の側面部に接した状態で、前記外箱部材内に配置され、
前記第２の内箱部材は、前記第３の側面部が前記外箱部材の前記第４の側面部に接するとともに、前記第４の側面部が前記第３の内箱部材の前記第２の側面部に接した状態で、前記外箱部材内に配置され、
前記第３の内箱部材は、前記第３の側面部が前記外箱部材の前記第２の側面部に接するとともに、前記第４の側面部が前記第１の内箱部材の前記第２の側面部に接した状態で、前記外箱部材内に配置され、
前記第４の内箱部材は、前記第３の側面部が前記外箱部材の前記第１の側面部に接するとともに、前記第４の側面部が前記第２の内箱部材の前記第２の側面部に接した状態で、前記外箱部材内に配置される組立式トイレ。
【請求項２１】
請求項１２乃至２０の何れかに記載の組立式トイレにおいて、
前記第３及び第４の内箱部材は、波状の中芯を有する段ボールからなり、
前記第３及び第４の内箱部材の前記各側面部における前記中芯の流れ目方向は、当該各側面部の高さ方向に平行である組立式トイレ。
【請求項２２】
請求項１２乃至２１の何れかに記載の組立式トイレにおいて、
前記第３及び第４の内箱部材の各々は、前記第１の側面部に重なるように設けられた第１の補強部と、前記第２の側面部に重なるように設けられた第２の補強部とを有する組立式トイレ。
【請求項２３】
請求項２２に記載の組立式トイレにおいて、
前記第３及び第４の内箱部材の各々について、前記第１の側面部の略全体が前記第１の補強部によって覆われるとともに、前記第２の側面部の略全体が前記第２の補強部によって覆われる組立式トイレ。
【請求項２４】
請求項１２乃至２３の何れかに記載の組立式トイレにおいて、
前記第１乃至第４の内箱部材は、前記外箱部材の前記第１乃至第４の側面部に沿って略隙間なく配置される組立式トイレ。
【請求項２５】
請求項１乃至２４の何れかに記載の組立式トイレにおいて、
前記外箱部材は、当該組立式トイレの蓋部として機能する上面部を有する組立式トイレ。
【発明の詳細な説明】
【技術分野】
【０００１】
本発明は、紙製の組立式トイレに関する。
【背景技術】
【０００２】
従来の組立式トイレとしては、例えば特許文献１に記載されたものがある。同文献に記載された組立式トイレは、底面部及び４つの側面部を有する外箱と、４つの側面部を有する内箱とを備えている。外箱及び内箱は、何れも段ボールからなる。内箱は、外箱の側面部から離間した状態で、外箱の中に配置されている。内箱の中には、排泄物が収容されるプラスチック製の袋が設けられている。また、外箱の上面には、便座部が設けられている。
【先行技術文献】
【特許文献】
【０００３】
【特許文献１】特開２００８−１０４５５８号公報
【発明の概要】
【発明が解決しようとする課題】
【０００４】
上述の組立式トイレにおいては、外箱の側面部及び内箱の側面部によって側壁が構成されている。このように側壁を二重構造とすることにより、トイレの強度をある程度は高めることができる。しかしながら、従来の組立式トイレには、強度の面で向上の余地がある。
【０００５】
本発明は、上記課題に鑑みてなされたものであり、強度に優れた組立式トイレを提供することを目的とする。
【課題を解決するための手段】
【０００６】
本発明による組立式トイレは、段ボール又は厚紙からなり、底面部、並びに第１の側面部、当該第１の側面部に対向する第２の側面部、第３の側面部、及び当該第３の側面部に対向する第４の側面部を有する外箱部材と、段ボール又は厚紙からなり、第１の側面部、当該第１の側面部に対向する第２の側面部、第３の側面部、及び当該第３の側面部に対向する第４の側面部、並びに上面部を有する第１及び第２の内箱部材と、を備え、上記外箱部材の高さと、上記第１及び第２の内箱部材の高さとは、互いに略等しく、上記第１の内箱部材は、上記第１の側面部が上記外箱部材の上記第１の側面部に対向するように、上記外箱部材内に配置され、上記第２の内箱部材は、上記第１の側面部が上記外箱部材の上記第２の側面部に対向するように、上記外箱部材内に配置され、上記第１及び第２の内箱部材は、上記外箱部材内において互いに離間しており、上記第１の内箱部材と上記第２の内箱部材との間の空間に排泄物が溜まるように構成されていることを特徴とする。
【０００７】
この組立式トイレにおいては、第１及び第２の内箱部材が、互いに離間した状態で、それぞれ外箱部材の第１及び第２の側面部に対向するように配置される。すなわち、これらの内箱部材は、排泄物が溜まる空間を挟んで、外箱部材内の両側に配置される。このため、各内箱部材の第１及び第２の側面部、並びに外箱部材の側面部によって、トイレの側壁が構成されることになる。このように側壁を三重構造とすることにより、トイレの強度を飛躍的に高めることができる。
【発明の効果】
【０００８】
本発明によれば、強度に優れた組立式トイレが実現される。
【図面の簡単な説明】
【０００９】
【図１】本発明による組立式トイレの一実施形態を示す斜視図である。
【図２】図１の組立式トイレを示す平面図である。
【図３】外箱部材１０の組立前の状態を示す平面図である。
【図４】図１の組立式トイレにおいて蓋部（上面部１９）を閉じた状態を示す斜視図である。
【図５】内箱部材２０を示す斜視図である。
【図６】内箱部材２０の組立前の状態を示す平面図である。
【図７】内箱部材３０を示す斜視図である。
【図８】内箱部材３０の組立前の状態を示す平面図である。
【図９】内箱部材４０を示す斜視図である。
【図１０】内箱部材４０の組立前の状態を示す平面図である。
【図１１】内箱部材５０を示す斜視図である。
【図１２】内箱部材５０の組立前の状態を示す平面図である。
【図１３】段ボールの構造を説明するための図である。
【図１４】図１の組立式トイレの効果を説明するための図である。
【図１５】図１の組立式トイレの効果を説明するための図である。
【図１６】変形例に係る組立式トイレを示す平面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による組立式トイレの一実施形態を示す斜視図である。また、図２は、図１の組立式トイレを示す平面図である。組立式トイレ１は、外箱部材１０、並びに内箱部材２０（第１の内箱部材）、内箱部材３０（第２の内箱部材）、内箱部材４０（第３の内箱部材）及び内箱部材５０（第４の内箱部材）を備えている。内箱部材２０，３０，４０，５０は、外箱部材１０内に配置されている。これらの外箱部材１０及び各内箱部材２０，３０，４０，５０は、段ボール又は厚紙からなる。
【００１２】
外箱部材１０は、底面部１１、並びに側面部１２（第１の側面部）、側面部１４（第２の側面部）、側面部１６（第３の側面部）及び側面部１８（第４の側面部）を有し、直方体の形状をしている。本実施形態において外箱部材１０は、上面部１９も有している。上面部１９は、組立式トイレ１の蓋部として機能する。外箱部材１０の大きさは、例えば、幅（各側面部１６，１８の水平方向の長さ）が４５ｃｍ程度、奥行（各側面部１２，１４の水平方向の長さ）が５０ｃｍ程度、高さ（各側面部１２，１４，１６，１８の高さ）が５０ｃｍ程度である。
【００１３】
図３は、外箱部材１０の組立前の状態を示す平面図である。同図は、外箱部材１０の内側の面を示している。外箱部材１０は、１枚の平坦な段ボール又は厚紙からなる。底面部１１と側面部１２との境界には、折込線Ｌ１１が形成されている。底面部１１と側面部１４との境界には、折込線Ｌ１２が形成されている。底面部１１と側面部１６との境界には、折込線Ｌ１３が形成されている。また、底面部１１と側面部１８との境界には、折込線Ｌ１４が形成されている。外箱部材１０は、これらの折込線Ｌ１１〜Ｌ１４に沿って折り込むことにより、組み立てることができる。具体的には、折込線Ｌ１１〜Ｌ１４に沿って略直角に谷折りすることにより、図１に示した直方体状の外箱部材１０が得られる。なお、側面部１２，１４，１６，１８は、適宜の手段（例えばガムテープによる貼合わせ）により相互に固定される。
【００１４】
さらに、側面部１８と上面部１９との境界には、折込線Ｌ１５が形成されている。上面部１９の１つの辺（側面部１８の反対側の辺）には、爪部１９ａが接続されている。この爪部１９ａと上面部１９との境界には、折込線Ｌ１６が形成されている。折込線Ｌ１１〜Ｌ１４に沿って折り込んだ後、さらに折込線Ｌ１５，Ｌ１６に沿って略直角に谷折りすることにより、図４に示すように、組立式トイレ１の蓋部（上面部１９）を閉じることができる。このとき、側面部１６と内箱部材２０，４０（図１参照）との間に爪部１９ａを挟み込むことにより、蓋部がひとりでに開くのを防止することができる。
【００１５】
図５は、内箱部材２０を示す斜視図である。内箱部材２０は、側面部２２（第１の側面部）、側面部２４（第２の側面部）、側面部２６（第３の側面部）及び側面部２８（第４の側面部）、並びに上面部２９を有し、直方体の形状をしている。本実施形態において内箱部材２０は、底面部２１も有している。内箱部材２０の大きさは、例えば、幅（各側面部２６，２８の水平方向の長さ）が１０ｃｍ程度、奥行（各側面部２２，２４の水平方向の長さ）が４０ｃｍ程度、高さ（各側面部２２，２４，２６，２８の高さ）が５０ｃｍ程度である。内箱部材２０の高さは、外箱部材１０の高さに略等しい。各側面部２２，２４の水平方向の長さは、各側面部２６，２８の水平方向の長さよりも大きい。
【００１６】
図６は、内箱部材２０の組立前の状態を示す平面図である。同図は、内箱部材２０の外側の面を示している。内箱部材２０は、１枚の平坦な段ボール又は厚紙からなる。上面部２９と側面部２２との境界には、折込線Ｌ２１が形成されている。上面部２９と側面部２４との境界には、折込線Ｌ２２が形成されている。上面部２９と側面部２６との境界には、折込線Ｌ２３が形成されている。また、上面部２９と側面部２８との境界には、折込線Ｌ２４が形成されている。
【００１７】
側面部２６の両側には、それぞれ補強部２３ａ（第１の補強部）及び補強部２５ａ（第２の補強部）が接続されている。側面部２６と補強部２３ａとの境界には、折込線Ｌ２５ａが形成されている。また、側面部２６と補強部２５ａとの境界には、折込線Ｌ２６ａが形成されている。同様に、側面部２８の両側には、それぞれ補強部２３ｂ（第１の補強部）及び補強部２５ｂ（第２の補強部）が接続されている。側面部２８と補強部２３ｂとの境界には、折込線Ｌ２５ｂが形成されている。また、側面部２８と補強部２５ｂとの境界には、折込線Ｌ２６ｂが形成されている。
【００１８】
各補強部２３ａ，２３ｂ，２５ａ，２５ｂの高さｄ２１は、各側面部２２，２４，２６，２８の高さｄ２２に略等しい。ただし、組立をスムーズにするため、高さｄ２１は、高さｄ２２よりも若干小さく設計されている。また、各補強部２３ａ，２３ｂ，２５ａ，２５ｂの水平方向の長さｄ２３は、各側面部２２，２４の水平方向の長さｄ２４の２分の１に略等しい。
【００１９】
さらに、側面部２２と底面部２１との境界には、折込線Ｌ２７が形成されている。底面部２１の１つの辺（側面部２２の反対側の辺）には、糊代部２１ａが接続されている。この糊代部２１ａと底面部２１との境界には、折込線Ｌ２８が形成されている。
【００２０】
内箱部材２０は、上述の折込線Ｌ２１〜Ｌ２８に沿って折り込むことにより、組み立てることができる。具体的には、まず、折込線Ｌ２３，Ｌ２４，Ｌ２５ａ，Ｌ２５ｂ，Ｌ２６ａ，Ｌ２６ｂに沿って略直角に山折りする。続いて、折込線Ｌ２１，Ｌ２２，Ｌ２７に沿って略直角に山折りする。最後に、折込線Ｌ２８に沿って略直角に山折りすることにより、図５に示した直方体状の内箱部材２０が得られる。糊代部２１ａは、接着剤やガムテープ等によって側面部２４に固定することができる。なお、側面部２２，２４，２６，２８は、適宜の手段により相互に固定することができる。
【００２１】
このとき、補強部２３ａ，２３ｂは、側面部２２の内側の面に重なる。詳細には、側面部２２の内側の面の略全体が、補強部２３ａ，２３ｂによって覆われる。同様に、補強部２５ａ，２５ｂは、側面部２４の内側の面に重なる。詳細には、側面部２４の内側の面の略全体が、補強部２５ａ，２５ｂによって覆われる。なお、各補強部２３ａ，２３ｂと側面部２２とは、互いに接着されてもよい。同様に、各補強部２５ａ，２５ｂと側面部２４とは、互いに接着されてもよい。かかる接着には、例えば、接着剤や両面テープを用いることができる。
【００２２】
図７は、内箱部材３０を示す斜視図である。内箱部材３０は、側面部３２（第１の側面部）、側面部３４（第２の側面部）、側面部３６（第３の側面部）及び側面部３８（第４の側面部）、並びに上面部３９を有し、直方体の形状をしている。本実施形態において内箱部材３０は、底面部３１も有している。内箱部材３０の大きさは、例えば、幅（各側面部３６，３８の水平方向の長さ）が１０ｃｍ程度、奥行（各側面部３２，３４の水平方向の長さ）が４０ｃｍ程度、高さ（各側面部３２，３４，３６，３８の高さ）が５０ｃｍ程度である。内箱部材３０の高さは、外箱部材１０の高さに略等しい。各側面部３２，３４の水平方向の長さは、各側面部３６，３８の水平方向の長さよりも大きい。本実施形態において内箱部材２０と内箱部材３０とは、形状及び大きさが略等しい。
【００２３】
図８は、内箱部材３０の組立前の状態を示す平面図である。同図は、内箱部材３０の外側の面を示している。内箱部材３０は、１枚の平坦な段ボール又は厚紙からなる。上面部３９と側面部３２との境界には、折込線Ｌ３１が形成されている。上面部３９と側面部３４との境界には、折込線Ｌ３２が形成されている。上面部３９と側面部３６との境界には、折込線Ｌ３３が形成されている。また、上面部３９と側面部３８との境界には、折込線Ｌ３４が形成されている。
【００２４】
側面部３６の両側には、それぞれ補強部３３ａ（第１の補強部）及び補強部３５ａ（第２の補強部）が接続されている。側面部３６と補強部３３ａとの境界には、折込線Ｌ３５ａが形成されている。また、側面部３６と補強部３５ａとの境界には、折込線Ｌ３６ａが形成されている。同様に、側面部３８の両側には、それぞれ補強部３３ｂ（第１の補強部）及び補強部３５ｂ（第２の補強部）が接続されている。側面部３８と補強部３３ｂとの境界には、折込線Ｌ３５ｂが形成されている。また、側面部３８と補強部３５ｂとの境界には、折込線Ｌ３６ｂが形成されている。
【００２５】
各補強部３３ａ，３３ｂ，３５ａ，３５ｂの高さｄ３１は、各側面部３２，３４，３６，３８の高さｄ３２に略等しい。ただし、組立をスムーズにするため、高さｄ３１は、高さｄ３２よりも若干小さく設計されている。また、各補強部３３ａ，３３ｂ，３５ａ，３５ｂの水平方向の長さｄ３３は、各側面部３２，３４の水平方向の長さｄ３４の２分の１に略等しい。
【００２６】
さらに、側面部３２と底面部３１との境界には、折込線Ｌ３７が形成されている。底面部３１の１つの辺（側面部３２の反対側の辺）には、糊代部３１ａが接続されている。この糊代部３１ａと底面部３１との境界には、折込線Ｌ３８が形成されている。
【００２７】
内箱部材３０は、上述の折込線Ｌ３１〜Ｌ３８に沿って折り込むことにより、組み立てることができる。具体的には、まず、折込線Ｌ３３，Ｌ３４，Ｌ３５ａ，Ｌ３５ｂ，Ｌ３６ａ，Ｌ３６ｂに沿って略直角に山折りする。続いて、折込線Ｌ３１，Ｌ３２，Ｌ３７に沿って略直角に山折りする。最後に、折込線Ｌ３８に沿って略直角に山折りすることにより、図７に示した直方体状の内箱部材３０が得られる。糊代部３１ａは、接着剤やガムテープ等によって側面部３４に固定することができる。なお、側面部３２，３４，３６，３８は、適宜の手段により相互に固定することができる。
【００２８】
このとき、補強部３３ａ，３３ｂは、側面部３２の内側の面に重なる。詳細には、側面部３２の内側の面の略全体が、補強部３３ａ，３３ｂによって覆われる。同様に、補強部３５ａ，３５ｂは、側面部３４の内側の面に重なる。詳細には、側面部３４の内側の面の略全体が、補強部３５ａ，３５ｂによって覆われる。なお、各補強部３３ａ，３３ｂと側面部３２とは、互いに接着されてもよい。同様に、各補強部３５ａ，３５ｂと側面部３４とは、互いに接着されてもよい。かかる接着には、例えば、接着剤や両面テープを用いることができる。
【００２９】
図９は、内箱部材４０を示す斜視図である。内箱部材４０は、側面部４２（第１の側面部）、側面部４４（第２の側面部）、側面部４６（第３の側面部）及び側面部４８（第４の側面部）、並びに上面部４９を有し、直方体の形状をしている。本実施形態において内箱部材４０は、底面部４１も有している。内箱部材４０の大きさは、例えば、幅（各側面部４６，４８の水平方向の長さ）が１０ｃｍ程度、奥行（各側面部４２，４４の水平方向の長さ）が３５ｃｍ程度、高さ（各側面部４２，４４，４６，４８の高さ）が５０ｃｍ程度である。内箱部材４０の高さは、外箱部材１０の高さに略等しい。各側面部４２，４４の水平方向の長さは、各側面部４６，４８の水平方向の長さよりも大きい。
【００３０】
図１０は、内箱部材４０の組立前の状態を示す平面図である。同図は、内箱部材４０の外側の面を示している。内箱部材４０は、１枚の平坦な段ボール又は厚紙からなる。上面部４９と側面部４２との境界には、折込線Ｌ４１が形成されている。上面部４９と側面部４４との境界には、折込線Ｌ４２が形成されている。上面部４９と側面部４６との境界には、折込線Ｌ４３が形成されている。また、上面部４９と側面部４８との境界には、折込線Ｌ４４が形成されている。
【００３１】
側面部４６の両側には、それぞれ補強部４３ａ（第１の補強部）及び補強部４５ａ（第２の補強部）が接続されている。側面部４６と補強部４３ａとの境界には、折込線Ｌ４５ａが形成されている。また、側面部４６と補強部４５ａとの境界には、折込線Ｌ４６ａが形成されている。同様に、側面部４８の両側には、それぞれ補強部４３ｂ（第１の補強部）及び補強部４５ｂ（第２の補強部）が接続されている。側面部４８と補強部４３ｂとの境界には、折込線Ｌ４５ｂが形成されている。また、側面部４８と補強部４５ｂとの境界には、折込線Ｌ４６ｂが形成されている。
【００３２】
各補強部４３ａ，４３ｂ，４５ａ，４５ｂの高さｄ４１は、各側面部４２，４４，４６，４８の高さｄ４２に略等しい。ただし、組立をスムーズにするため、高さｄ４１は、高さｄ４２よりも若干小さく設計されている。また、各補強部４３ａ，４３ｂ，４５ａ，４５ｂの水平方向の長さｄ４３は、各側面部４２，４４の水平方向の長さｄ４４の２分の１に略等しい。
【００３３】
さらに、側面部４２と底面部４１との境界には、折込線Ｌ４７が形成されている。底面部４１の１つの辺（側面部４２の反対側の辺）には、糊代部４１ａが接続されている。この糊代部４１ａと底面部４１との境界には、折込線Ｌ４８が形成されている。
【００３４】
内箱部材４０は、上述の折込線Ｌ４１〜Ｌ４８に沿って折り込むことにより、組み立てることができる。具体的には、まず、折込線Ｌ４３，Ｌ４４，Ｌ４５ａ，Ｌ４５ｂ，Ｌ４６ａ，Ｌ４６ｂに沿って略直角に山折りする。続いて、折込線Ｌ４１，Ｌ４２，Ｌ４７に沿って略直角に山折りする。最後に、折込線Ｌ４８に沿って略直角に山折りすることにより、図９に示した直方体状の内箱部材４０が得られる。糊代部４１ａは、接着剤やガムテープ等によって側面部４４に固定することができる。なお、側面部４２，４４，４６，４８は、適宜の手段により相互に固定することができる。
【００３５】
このとき、補強部４３ａ，４３ｂは、側面部４２の内側の面に重なる。詳細には、側面部４２の内側の面の略全体が、補強部４３ａ，４３ｂによって覆われる。同様に、補強部４５ａ，４５ｂは、側面部４４の内側の面に重なる。詳細には、側面部４４の内側の面の略全体が、補強部４５ａ，４５ｂによって覆われる。なお、各補強部４３ａ，４３ｂと側面部４２とは、互いに接着されてもよい。同様に、各補強部４５ａ，４５ｂと側面部４４とは、互いに接着されてもよい。かかる接着には、例えば、接着剤や両面テープを用いることができる。
【００３６】
図１１は、内箱部材５０を示す斜視図である。内箱部材５０は、側面部５２（第１の側面部）、側面部５４（第２の側面部）、側面部５６（第３の側面部）及び側面部５８（第４の側面部）、並びに上面部５９を有し、直方体の形状をしている。本実施形態において内箱部材５０は、底面部５１も有している。内箱部材５０の大きさは、例えば、幅（各側面部５６，５８の水平方向の長さ）が１０ｃｍ程度、奥行（各側面部５２，５４の水平方向の長さ）が３５ｃｍ程度、高さ（各側面部５２，５４，５６，５８の高さ）が５０ｃｍ程度である。内箱部材５０の高さは、外箱部材１０の高さに略等しい。各側面部５２，５４の水平方向の長さは、各側面部５６，５８の水平方向の長さよりも大きい。本実施形態において内箱部材４０と内箱部材５０とは、形状及び大きさが略等しい。
【００３７】
図１２は、内箱部材５０の組立前の状態を示す平面図である。同図は、内箱部材５０の外側の面を示している。内箱部材５０は、１枚の平坦な段ボール又は厚紙からなる。上面部５９と側面部５２との境界には、折込線Ｌ５１が形成されている。上面部５９と側面部５４との境界には、折込線Ｌ５２が形成されている。上面部５９と側面部５６との境界には、折込線Ｌ５３が形成されている。また、上面部５９と側面部５８との境界には、折込線Ｌ５４が形成されている。
【００３８】
側面部５６の両側には、それぞれ補強部５３ａ（第１の補強部）及び補強部５５ａ（第２の補強部）が接続されている。側面部５６と補強部５３ａとの境界には、折込線Ｌ５５ａが形成されている。また、側面部５６と補強部５５ａとの境界には、折込線Ｌ５６ａが形成されている。同様に、側面部５８の両側には、それぞれ補強部５３ｂ（第１の補強部）及び補強部５５ｂ（第２の補強部）が接続されている。側面部５８と補強部５３ｂとの境界には、折込線Ｌ５５ｂが形成されている。また、側面部５８と補強部５５ｂとの境界には、折込線Ｌ５６ｂが形成されている。
【００３９】
各補強部５３ａ，５３ｂ，５５ａ，５５ｂの高さｄ５１は、各側面部５２，５４，５６，５８の高さｄ５２に略等しい。ただし、組立をスムーズにするため、高さｄ５１は、高さｄ５２よりも若干小さく設計されている。また、各補強部５３ａ，５３ｂ，５５ａ，５５ｂの水平方向の長さｄ５３は、各側面部５２，５４の水平方向の長さｄ５４の２分の１に略等しい。
【００４０】
さらに、側面部５２と底面部５１との境界には、折込線Ｌ５７が形成されている。底面部５１の１つの辺（側面部５２の反対側の辺）には、糊代部５１ａが接続されている。この糊代部５１ａと底面部５１との境界には、折込線Ｌ５８が形成されている。
【００４１】
内箱部材５０は、上述の折込線Ｌ５１〜Ｌ５８に沿って折り込むことにより、組み立てることができる。具体的には、まず、折込線Ｌ５３，Ｌ５４，Ｌ５５ａ，Ｌ５５ｂ，Ｌ５６ａ，Ｌ５６ｂに沿って略直角に山折りする。続いて、折込線Ｌ５１，Ｌ５２，Ｌ５７に沿って略直角に山折りする。最後に、折込線Ｌ５８に沿って略直角に山折りすることにより、図１１に示した直方体状の内箱部材５０が得られる。糊代部５１ａは、接着剤やガムテープ等によって側面部５４に固定することができる。なお、側面部５２，５４，５６，５８は、適宜の手段により相互に固定することができる。
【００４２】
このとき、補強部５３ａ，５３ｂは、側面部５２の内側の面に重なる。詳細には、側面部５２の内側の面の略全体が、補強部５３ａ，５３ｂによって覆われる。同様に、補強部５５ａ，５５ｂは、側面部５４の内側の面に重なる。詳細には、側面部５４の内側の面の略全体が、補強部５５ａ，５５ｂによって覆われる。なお、各補強部５３ａ，５３ｂと側面部５２とは、互いに接着されてもよい。同様に、各補強部５５ａ，５５ｂと側面部５４とは、互いに接着されてもよい。かかる接着には、例えば、接着剤や両面テープを用いることができる。
【００４３】
図１及び図２に戻って、外箱部材１０の側面部１２に沿って内箱部材２０が配置されている。具体的には、内箱部材２０は、側面部２２が外箱部材１０の側面部１２に対向するように、外箱部材１０内に配置されている。内箱部材２０は、側面部２２の略全体が外箱部材１０の側面部１２に接している。また、外箱部材１０の側面部１４に沿って内箱部材３０が配置されている。具体的には、内箱部材３０は、側面部３２が外箱部材１０の側面部１４に対向するように、外箱部材１０内に配置されている。内箱部材３０は、側面部３２の略全体が外箱部材１０の側面部１４に接している。内箱部材２０及び内箱部材３０は、外箱部材１０内において互いに離間している。なお、内箱部材２０及び内箱部材３０は、それぞれ側面部１２及び側面部１４に固定されてもよい。かかる固定には、例えば、接着剤や両面テープを用いることができる。
【００４４】
さらに、外箱部材１０の側面部１６に沿って内箱部材４０が配置されている。具体的には、内箱部材４０は、側面部４２が外箱部材１０の側面部１６に対向するように、外箱部材１０内に配置されている。内箱部材４０は、側面部４２の略全体が外箱部材１０の側面部１６に接している。また、外箱部材１０の側面部１８に沿って内箱部材５０が配置されている。具体的には、内箱部材５０は、側面部５２が外箱部材１０の側面部１８に対向するように、外箱部材１０内に配置されている。内箱部材５０は、側面部５２の略全体が外箱部材１０の側面部１８に接している。内箱部材４０及び内箱部材５０は、外箱部材１０内において互いに離間している。
【００４５】
これらの内箱部材２０，３０，４０，５０は、外箱部材１０内において、平面視で点対称に配置されている。すなわち、内箱部材２０は、側面部２６が外箱部材１０の側面部１６に接するとともに、側面部２８が内箱部材５０の側面部５４に接している。内箱部材３０は、側面部３６が外箱部材１０の側面部１８に接するとともに、側面部３８が内箱部材４０の側面部４４に接している。内箱部材４０は、側面部４６が外箱部材１０の側面部１４に接するとともに、側面部４８が内箱部材２０の側面部２４に接している。また、内箱部材５０は、側面部５６が外箱部材１０の側面部１２に接するとともに、側面部５８が内箱部材３０の側面部３４に接している。
【００４６】
また、内箱部材２０，３０，４０，５０は、外箱部材１０の側面部１２，１４，１６，１８に沿って略隙間なく配置されている。すなわち、内箱部材２０の側面部２２及び内箱部材５０の側面部５６によって、側面部１２の略全体が覆われている。内箱部材３０の側面部３２及び内箱部材４０の側面部４６によって、側面部１４の略全体が覆われている。内箱部材４０の側面部４２及び内箱部材２０の側面部２６によって、側面部１６の略全体が覆われている。また、内箱部材５０の側面部５２及び内箱部材３０の側面部３６によって、側面部１８の略全体が覆われている。
【００４７】
したがって、本実施形態において、外箱部材１０における側面部１６と側面部１８との間隔は、内箱部材２０の各側面部２２，２４（内箱部材３０の各側面部３２，３４）の水平方向の長さと、内箱部材５０の各側面部５６，５８（内箱部材４０の各側面部４６，４８）の水平方向の長さとの和に略等しい。また、外箱部材１０における側面部１２と側面部１４との間隔は、内箱部材４０の各側面部４２，４４（内箱部材５０の各側面部５２，５４）の水平方向の長さと、内箱部材２０の各側面部２６，２８（内箱部材３０の各側面部３６，３８）の水平方向の長さとの和に略等しい。
【００４８】
なお、外箱部材１０として段ボールを用いる場合、各側面部１２，１４，１６，１８における中芯の流れ目方向が、当該各側面部１２，１４，１６，１８の高さ方向に平行であることが好ましい。すなわち、図１３の側面図に示すように、段ボール８０は波状の中芯８２を有するところ、この中芯８２の流れ目方向（紙面に垂直な方向）が各側面部１２，１４，１６，１８の高さ方向に平行であることが好ましい。
【００４９】
内箱部材２０として段ボールを用いる場合も、各側面部２２，２４，２６，２８における中芯の流れ目方向が、当該各側面部２２，２４，２６，２８の高さ方向に平行であることが好ましい。内箱部材３０，４０，５０についても同様である。
【００５０】
組立式トイレ１において、内箱部材２０，３０，４０，５０の上面部２９，３９，４９，５９は、便座として機能する。そして、内箱部材２０と内箱部材３０との間の空間（内箱部材２０，３０，４０，５０で囲まれた空間）Ｓ１に排泄物が溜まる。組立式トイレ１の使用時、当該空間Ｓ１には、排泄物を収容するための袋（図示せず）が配設される。かかる袋としては、例えばポリエチレン製の袋を用いることができる。袋の中には、排泄物を吸収する排泄物処理材が入れられていることが好ましい。
【００５１】
組立式トイレ１の効果を説明する。組立式トイレ１においては、内箱部材２０，３０が、互いに離間した状態で、それぞれ外箱部材１０の側面部１２，１４に対向するように配置される。すなわち、これらの内箱部材２０，３０は、排泄物が溜まる空間Ｓ１を挟んで、外箱部材１０内の両側に配置される。このため、内箱部材２０の側面部２２，２４及び外箱部材１０の側面部１２によって、組立式トイレ１の側壁（図１における左側の側壁）が構成されることになる。同様に、内箱部材３０の側面部３２，３４及び外箱部材１０の側面部１４によって、組立式トイレ１の側壁（図１における右側の側壁）が構成されることになる。このように左右両側の側壁を三重構造とすることにより、組立式トイレ１の強度を飛躍的に高めることができる。
【００５２】
さらに、組立式トイレ１においては、内箱部材４０，５０も、互いに離間した状態で、それぞれ外箱部材１０の側面部１６，１８に対向するように配置される。すなわち、これらの内箱部材４０，５０は、排泄物が溜まる空間Ｓ１を挟んで、外箱部材１０内の両側に配置される。このため、内箱部材４０の側面部４２，４４及び外箱部材１０の側面部１６によって、組立式トイレ１の側壁（図１における手前側の側壁）が構成されることになる。同様に、内箱部材５０の側面部５２，５４及び外箱部材１０の側面部１８によって、組立式トイレ１の側壁（図１における奥側の側壁）が構成されることになる。このように四方の側壁を三重構造とすることにより、組立式トイレ１の強度を一層向上させることができる。
【００５３】
内箱部材２０は、上面部２９を有している。これにより、側面部２２，２４は、それらの上端において上面部２９を介して互いに連結されている。かかる構造によれば、図１４に示すように、ユーザが組立式トイレ１に腰を掛けた際に内箱部材２０に対して上方から力Ｆが加わっても、側面部２２と側面部２４との間隔が一定に保たれるため、両側面部２２，２４が鉛直な状態が維持されやすくなる。それゆえ、各側面部２２，２４は、面に対して平行な方向から力Ｆを受けることができるので、当該力Ｆに対して強度を発揮しやすい。
【００５４】
これに対し、図１５に示すように、側面部９２，９４が上端において互いに連結されていない構造の場合、力Ｆが加わると、側面部９２と側面部９４との間隔が変化しやすく、両側面部９２，９４が鉛直な状態が維持されにくい。それゆえ、各側面部９２，９４は、面に対して斜め方向から力Ｆを受けざるを得なくなるので、当該力Ｆに対して強度を発揮しにくい。
【００５５】
このように、組立式トイレ１において、側壁の一部を構成する内箱部材２０が側面部２２，２４に加えて上面部２９を有することは、組立式トイレ１の強度を高める上で有利に働く。内箱部材３０，４０，５０についても同様である。
【００５６】
また、内箱部材２０は、側面部２６，２８を有している。これにより、ユーザが組立式トイレ１に腰を掛けた際、力が分散され、各側面部２２，２４，２６，２８に加わる力を軽減することができる。また、側面部２６，２８の存在は、側面部２２と側面部２４との間隔を一定に保つことに寄与する。このことは、図１４で説明したように、組立式トイレ１の強度を高める上で有利に働く。さらに、本実施形態においては、内箱部材２０が底面部２１も有しているため、側面部２２と側面部２４との間隔が一層保持されやすい。内箱部材３０，４０，５０についても同様である。
【００５７】
組立式トイレ１において、内箱部材２０，３０，４０，５０の上面部２９，３９，４９，５９は、便座として機能する。これにより、便座として機能する部材を別途設ける必要がないため、組立式トイレ１の構造を簡素化することができる。また、便座としての使いやすさという観点から、内箱部材２０の上面部２９の幅（各側面部２６，２８の水平方向の長さ）は、５ｃｍ以上１５ｃｍ以下であることが好ましく、８ｃｍ以上１２ｃｍ以下であることがより好ましい。内箱部材３０，４０，５０についても同様である。
【００５８】
組立式トイレ１は、外箱部材１０及び内箱部材２０，３０，４０，５０からなる。このように組立式トイレ１は、複数の箱状の部材を組み合わせることにより完成させることができるため、組立が容易である。また、組立式トイレ１は、全体として箱状をしているため、排泄物が飛散しにくいという利点がある。
【００５９】
内箱部材２０，３０，４０，５０は、図２に示したように、平面視で点対称に配置されている。かかる配置により、内箱部材２０，３０，４０，５０どうしが相互にストッパーとして作用し、内箱部材２０，３０，４０，５０が外箱部材１０内で移動してしまうのを抑制することができる。
【００６０】
外箱部材１０及び内箱部材２０，３０，４０，５０は、段ボール又は厚紙からなる。このため、組立式トイレ１は、容易に廃棄することが可能である。また、段ボールや厚紙は比較的軽量であるため、組立の前後を通じて、組立式トイレ１の運搬・移動が容易となる。特に、外箱部材１０及び内箱部材２０，３０，４０，５０が段ボールからなる場合、消臭効果に優れた組立式トイレ１が実現される。
【００６１】
外箱部材１０、及び各内箱部材２０，３０，４０，５０は、組立前、１枚の平坦な段ボール又は厚紙からなる。このため、組立前の組立式トイレ１の保管に必要なスペースを節約することができる。
【００６２】
内箱部材２０は、側面部２２に重なるように設けられた補強部２３ａ，２３ｂと、側面部２４に重なるように設けられた補強部２５ａ，２５ｂとを有している。これにより、内箱部材２０の強度、ひいては組立式トイレ１の強度を一層高めることができる。内箱部材３０，４０，５０についても同様である。
【００６３】
内箱部材２０について、各側面部２２，２４の水平方向の長さは、各２６，２８の水平方向の長さよりも大きい。このように外箱部材１０の側面部１２と共に三重構造の側壁を構成する側面部２２，２４の長さを大きくとることは、組立式トイレ１の強度を高めるのに有利である。内箱部材３０，４０，５０についても同様である。
【００６４】
内箱部材２０は、外箱部材１０の側面部１２に接した状態で、外箱部材１０内に配置されている。このため、内箱部材２０が側面部１２から離間している場合に比して、組立式トイレ１の強度を高めることができる。内箱部材３０，４０，５０についても同様である。
【００６５】
内箱部材２０と内箱部材３０とは、形状及び大きさが略等しい。これにより、組立式トイレ１の組立時、これらの内箱部材２０，３０を区別して扱う必要がないため、組立が容易になる。また、内箱部材２０，３０として同一の部材を用いることができるため、組立式トイレ１の製造コストを低減させることができる。
【００６６】
内箱部材４０と内箱部材５０とは、形状及び大きさが略等しい。これにより、組立式トイレ１の組立時、これらの内箱部材４０，５０を区別して扱う必要がないため、組立が容易になる。また、内箱部材４０，５０として同一の部材を用いることができるため、組立式トイレ１の製造コストを低減させることができる。
【００６７】
外箱部材１０は、組立式トイレ１の蓋部として機能する上面部１９を有している。これにより、簡易な構成で、蓋付きの組立式トイレ１を実現することができる。また、かかる蓋部が設けられていることにより、組立式トイレ１の使用後、空間Ｓ１内に残留した排泄物の臭いが組立式トイレ１の外部に漏れるのを防ぐことができる。さらに、組立式トイレ１をトイレとして使用しないときは、閉じた状態の蓋部（上面部１９）を座面とすることにより、組立式トイレ１を通常の椅子として好適に使用することができる。
【００６８】
外箱部材１０として段ボールを用いる場合において、各側面部１２，１４，１６，１８における中芯の流れ目方向が当該各側面部１２，１４，１６，１８の高さ方向に平行であることは、組立式トイレ１の強度を高めるのに有利である。すなわち、組立式トイレ１は、ユーザが腰を掛けて使用するものであるため、専ら高さ方向（鉛直方向）の力を受けることになる。そうであるところ、段ボールは中芯の流れ目方向に働く力に対して特に堅牢であるため、流れ目方向を高さ方向に揃えることにより、高さ方向の力に対する組立式トイレ１の強度を高めることができる。内箱部材２０，３０，４０，５０についても同様である。
【００６９】
本発明による組立式トイレは、上記実施形態に限定されるものではなく、様々な変形が可能である。例えば、上記実施形態においては、外箱部材１０が上面部１９を有する例を示した。しかし、外箱部材１０は、上面部１９を有していなくてもよい。
【００７０】
上記実施形態においては、各内箱部材（内箱部材２０，３０，４０，５０）が底面部（底面部２１，３１，４１，５１）を有する例を示した。しかし、各内箱部材は、底面部を有していなくてもよい。同様に、各内箱部材は、補強部を有していなくてもよい。
【００７１】
上記実施形態においては、一対の内箱部材２０，３０と、もう一対の内箱部材内箱部材４０，５０とで、大きさが異なる例を示した（図２参照）。しかし、これらの内箱部材２０，３０，４０，５０は、形状及び大きさが略等しくてもよい。その場合、組立式トイレ１の組立時、内箱部材２０，３０，４０，５０を区別して扱う必要がないため、組立が一層容易になる。また、内箱部材２０，３０，４０，５０として同一の部材を用いることができるため、組立式トイレ１の製造コストを一層低減させることができる。
【００７２】
上記実施形態においては、内箱部材２０，３０，４０，５０が平面視で点対称に配置された例を示した。しかし、内箱部材２０，３０，４０，５０は、図１６に示すように、平面視で線対称に配置されてもよい。同図において、内箱部材２０，３０，４０，５０は、上下対称でかつ左右対称に配置されている。
【００７３】
上記実施形態においては、４つの内箱部材２０，３０，４０，５０が設けられた例を示した。しかし、内箱部材２０，３０，４０，５０のうち内箱部材２０，３０のみが設けられていてもよい。その場合、内箱部材２０の各側面部２２，２４の水平方向の長さは、外箱部材１０の各側面部１２，１４の水平方向の長さに略等しいことが好ましい。内箱部材３０についても同様である。
【符号の説明】
【００７４】
１  組立式トイレ
１０  外箱部材
１１  底面部
１２  側面部（第１の側面部）
１４  側面部（第２の側面部）
１６  側面部（第３の側面部）
１８  側面部（第４の側面部）
１９  上面部
１９ａ  爪部
２０  内箱部材（第１の内箱部材）
２１  底面部
２２  側面部（第１の側面部）
２３ａ，２３ｂ  補強部（第１の補強部）
２４  側面部（第２の側面部）
２５ａ，２５ｂ  補強部（第２の補強部）
２６  側面部（第３の側面部）
２８  側面部（第４の側面部）
２９  上面部
３０  内箱部材（第２の内箱部材）
３１  底面部
３２  側面部（第１の側面部）
３３ａ，３３ｂ  補強部（第１の補強部）
３４  側面部（第２の側面部）
３５ａ，３５ｂ  補強部（第２の補強部）
３６  側面部（第３の側面部）
３８  側面部（第４の側面部）
３９  上面部
４０  内箱部材（第３の内箱部材）
４１  底面部
４２  側面部（第１の側面部）
４３ａ，４３ｂ  補強部（第１の補強部）
４４  側面部（第２の側面部）
４５ａ，４５ｂ  補強部（第２の補強部）
４６  側面部（第３の側面部）
４８  側面部（第４の側面部）
４９  上面部
５０  内箱部材（第４の内箱部材）
５１  底面部
５２  側面部（第１の側面部）
５３ａ，５３ｂ  補強部（第１の補強部）
５４  側面部（第２の側面部）
５５ａ，５５ｂ  補強部（第２の補強部）
５６  側面部（第３の側面部）
５８  側面部（第４の側面部）
５９  上面部
【図１】
2015202223.tif 000003
【図２】
2015202223.tif 000004
【図３】
2015202223.tif 000005
【図４】
2015202223.tif 000006
【図５】
2015202223.tif 000007
【図６】
2015202223.tif 000008
【図７】
2015202223.tif 000009
【図８】
2015202223.tif 000010
【図９】
2015202223.tif 000011
【図１０】
2015202223.tif 000012
【図１１】
2015202223.tif 000013
【図１２】
2015202223.tif 000014
【図１３】
2015202223.tif 000015
【図１４】
2015202223.tif 000016
【図１５】
2015202223.tif 000017
【図１６】
2015202223.tif 000018